(57)【要約】【課題】Ｎアップされた資料の離れた頁を同時に表示できる表示装置を提供する。【解決手段】表示装置は、表示部に対して行われた操作指示の操作情報を取得する操作情報取得部と、前記表示部に複数の表示領域が表示されているかどうかを判定する分割判定部と、前記分割判定部が複数の表示領域が表示されていると判定した場合に、前記複数の表示領域のうち操作指示が行われた領域であるアクティブ領域を判定する領域判定部と、前記アクティブ領域における操作指示の検出に基づいて当該アクティブ領域における表示の切り替えを、前記アクティブ領域を除く前記複数の表示領域と独立して行う表示制御部と、を備える。【選択図】図１
2015176108.tif 000002
【特許請求の範囲】
【請求項１】
表示部に対して行われた操作指示の操作情報を取得する操作情報取得部と、
前記表示部に複数の表示領域が表示されているかどうかを判定する分割判定部と、
前記分割判定部が複数の表示領域が表示されていると判定した場合に、前記複数の表示領域のうち操作指示が行われた領域であるアクティブ領域を判定する領域判定部と、
前記アクティブ領域における操作指示の検出に基づいて当該アクティブ領域における表示の切り替えを、前記アクティブ領域を除く前記複数の表示領域と独立して行う表示制御部と、
を備えることを特徴とする表示装置。
【請求項２】
前記アクティブ領域における表示の切り替えを他の領域と独立して行うか否かを示す動作モードを決定する動作モード決定部
を備えることを特徴とする請求項１に記載の表示装置。
【請求項３】
前記動作モード決定部は、前記操作情報取得部が複数の表示領域を隔てる線に対する第一所定時間以上継続した選択操作を示す操作情報を取得した場合に、前記動作モードを変更する
ことを特徴とする請求項２に記載の表示装置。
【請求項４】
前記動作モード決定部は、前記操作情報取得部が前記アクティブ領域における複数の点を同時に指し示しながらスライドする操作の操作情報を取得した場合に、前記動作モードを変更する
ことを特徴とする請求項２又は請求項３に記載の表示装置。
【請求項５】
所定の分割指示操作に基づいて、前記表示部へ複数の表示領域を表示すべき分割指示を行い、また、所定の統合指示操作に基づいて、前記複数の表示領域を統合すべき統合指示を行う分割指示部と、
をさらに備え、
前記表示制御部は、前記分割指示又は前記統合指示に基づいて前記表示部に複数の表示領域を設け、当該複数の表示領域のそれぞれに同一電子コンテンツに含まれる頁を表示する
ことを特徴とする請求項１から請求項４の何れか１項に記載の表示装置。
【請求項６】
前記分割指示操作は、前記表示部の端部の一点を指し示し、当該指し示した点を前記端部から前記表示部を横断する方向にスライドさせる操作である
ことを特徴とする請求項５に記載の表示装置。
【請求項７】
前記分割指示操作は、前記表示部の３つ以上の点を指し示し、それらの点の間隔を広げるようにスライドさせる操作であり、
前記分割指示部は、前記スライドする距離に応じた数の表示領域に分割する指示を行う
ことを特徴とする請求項５又は請求項６に記載の表示装置。
【請求項８】
前記分割指示操作は、前記表示部の複数の点を同時に指し示して前記表示部の水平又は垂直方向にスライドさせる操作であり、
前記分割指示部は、前記水平又は垂直方向に表示部を分割する分割指示を行う
ことを特徴とする請求項５から請求項７の何れか1項に記載の表示装置。
【請求項９】
前記統合指示操作は、前記複数の表示領域を隔てる線に対する第二所定時間以上継続した選択操作である
ことを特徴とする請求項５から請求項８の何れか1項に記載の表示装置。
【請求項１０】
前記統合指示操作は、前記表示領域を隔てる線の交点に対する第二所定時間以上継続した選択操作であり、
前記分割指示部は、当該統合指示操作に基づいて前記複数の表示領域を１つに統合するよう指示を行う
ことを特徴とする請求項５から請求項９の何れか1項に記載の表示装置。
【請求項１１】
前記統合指示操作は、前記表示部の３つ以上の点を指し示し、それらの点の間隔を狭めるようにスライドさせる操作であり、
前記分割指示部は、前記スライドする距離に応じた数の表示領域に統合する指示を行う
ことを特徴とする請求項５から請求項１０の何れか1項に記載の表示装置。
【請求項１２】
前記表示制御部は、前記操作情報取得部が前記複数の表示領域のうち１つの表示領域の任意の点を指し示し、そのまま隣接する他の表示領域までスライドさせる操作の操作情報を取得した場合に、当該２つの表示領域の表示を入れ替える
ことを特徴とする請求項１から請求項１１の何れか1項に記載の表示装置。
【請求項１３】
表示部に対して行われた操作指示の操作情報を取得し、
前記表示部に複数の表示領域が表示されているかどうかを判定し、
複数の表示領域が表示されていると判定した場合に、前記複数の表示領域のうち操作指示が行われた領域であるアクティブ領域を判定し、
前記アクティブ領域における操作指示の検出に基づいて当該アクティブ領域における表示の切り替えを、前記アクティブ領域を除く前記複数の表示領域と独立して行う
ことを特徴とする表示装置の制御方法。
【請求項１４】
表示装置のコンピュータを、
表示部に対して行われた操作指示の操作情報を取得する手段、
前記表示部に複数の表示領域が表示されているかどうかを判定する手段、
複数の表示領域が表示されていると判定した場合に、前記複数の表示領域のうち操作指示が行われた領域であるアクティブ領域を判定する手段、
前記アクティブ領域における操作指示の検出に基づいて当該アクティブ領域における表示の切り替えを、前記アクティブ領域を除く前記複数の表示領域と独立して行う手段、
として機能させるためのプログラム。
【発明の詳細な説明】
【技術分野】
【０００１】
本発明は、表示装置、制御方法及びプログラムに関する。
【背景技術】
【０００２】
ある１つの電子コンテンツの連続する各頁に記載された内容を、同時に１つの画面に表示させて閲覧したい場合がある。このような場合、その電子コンテンツの閲覧に用いるアプリケーションに、例えば連続する各頁を見開きで表示するような機能が備わっていれば、ユーザは、連続する各頁を同時に閲覧することができる。
また、特許文献１には、直観的なタッチパネル操作で印刷設定ができる印刷指示装置に関する技術が記載されている。特許文献１の方法によると、ユーザが、印刷のプレビュー画面で所定の領域を分割するように指でなぞると、当該分割してできた領域数分の頁を１枚の印刷用紙に配置して印刷する設定ができる技術が開示されている。
【先行技術文献】
【特許文献】
【０００３】
【特許文献１】特開２０１３−２０５１２号公報
【発明の概要】
【発明が解決しようとする課題】
【０００４】
また、１つの電子コンテンツにおける連続しない頁（例えば１ページ目と５ページ目）を、同時に１つの画面に表示させて閲覧したい場合がある。このような場合、ユーザは、電子コンテンツを複製して、同一内容の２つの電子コンテンツを同時に開き、それぞれの電子コンテンツに見比べたい頁を表示させて閲覧するという方法が考えられる。しかし、このような方法では、電子コンテンツを複製したり、閲覧後は複製した電子コンテンツを削除したりといった手間が必要である。また、特許文献１の方法では、表示装置に電子コンテンツを表示させて、任意の連続しない頁を並列して表示することはできない。
【０００５】
そこでこの発明は、上述した解題を解決する表示装置、制御方法及びプログラムを提供することを目的としている。
【課題を解決するための手段】
【０００６】
本発明は、表示部に対して行われた操作指示の操作情報を取得する操作情報取得部と、前記表示部に複数の表示領域が表示されているかどうかを判定する分割判定部と、前記分割判定部が複数の表示領域が表示されていると判定した場合に、前記複数の表示領域のうち操作指示が行われた領域であるアクティブ領域を判定する領域判定部と、前記アクティブ領域における操作指示に基づいて当該アクティブ領域における表示の切り替えを、前記アクティブ領域を除く前記複数の表示領域と独立して行う表示制御部と、を備えることを特徴とする表示装置である。
【０００７】
また本発明は、表示部に対して行われた操作指示の操作情報を取得し、前記表示部に複数の表示領域が表示されているかどうかを判定し、複数の表示領域が表示されていると判定した場合に、前記複数の表示領域のうち操作指示が行われた領域であるアクティブ領域を判定し、前記アクティブ領域における操作指示に基づいて当該アクティブ領域における表示の切り替えを、前記アクティブ領域を除く前記複数の表示領域と独立して行うことを特徴とする表示装置の制御方法である。
【０００８】
また本発明は、表示装置のコンピュータを、表示部に対して行われた操作指示の操作情報を取得する手段、前記表示部に複数の表示領域が表示されているかどうかを判定する手段、複数の表示領域が表示されていると判定した場合に、前記複数の表示領域のうち操作指示が行われた領域であるアクティブ領域を判定する手段、前記アクティブ領域における操作指示に基づいて当該アクティブ領域における表示の切り替えを、前記アクティブ領域を除く前記複数の表示領域と独立して行う手段、として機能させるためのプログラムである。
【発明の効果】
【０００９】
本発明によれば、表示装置の表示画面への直観的なタッチ操作によって、１つの電子コンテンツにおける複数の任意の頁を並べて表示させることができるという効果が得られる。
【図面の簡単な説明】
【００１０】
【図１】本発明の第一の実施形態による表示装置の最小構成を示すブロック図である。
【図２】本発明の第一の実施形態による表示装置の構成の一例を示すブロック図である。
【図３】本発明の第一の実施形態による表示装置の一例を示す図である。
【図４】本発明の第一の実施形態による表示装置の動作の一例を示す第一の図である。
【図５】本発明の第一の実施形態による表示装置の処理フローの一例を示す第一の図である。
【図６】本発明の第一の実施形態による表示装置の動作の一例を示す第二の図である。
【図７】本発明の第一の実施形態による表示装置の処理フローの一例を示す第二の図である。
【図８】本発明の第一の実施形態による表示装置の処理フローの一例を示す第三の図である。
【図９】本発明の第一の実施形態による表示装置の動作の一例を示す第三の図である。
【図１０】本発明の第一の実施形態による表示装置の処理フローの一例を示す第四の図である。
【図１１】本発明の第二の実施形態による表示装置の動作の一例を示す図である。
【図１２】本発明の第三の実施形態による表示装置の動作の一例を示す図である。
【図１３】本発明の第三の実施形態によるユーザの動作と表示領域数の関係を規定するテーブルの一例を示す図である。
【図１４】本発明の第三の実施形態による表示装置の処理フローの一例を示す図である。
【図１５】本発明の他の実施形態による表示装置の動作の一例を示す図である。
【発明を実施するための形態】
【００１１】
＜第一の実施形態＞
以下、本発明の一実施形態による表示装置を図１〜図１０を参照して説明する。
図１は、第一の実施形態による表示装置の最小構成を示すブロック図である。
この図において、符号１は表示装置を表している。図１に示す通り、表示装置１は、操作情報取得部３０と、分割判定部４０と、領域判定部５０と、表示制御部８０とを少なくとも備えている。
操作情報取得部３０は、ユーザによる表示装置１が備える表示部１０への操作指示の操作情報を取得する。操作指示とは、ユーザの指・掌やポインティングデバイスによる、例えば、タップ操作（選択操作）、フリック操作、ピンチイン・ピンチアウト操作などである。これらの操作を行う場合、必ずしも表示部１０への接触は必要ではない。表示部１０へ指などを近付けて操作するいわゆるホバー操作でもよい。また、操作情報とはユーザが表示部１０に対してそれらの操作を行った各位置の座標情報や、継続して表示部１０のある位置を指し示している時間の長さである。
【００１２】
分割判定部４０は、表示部１０における表示領域が分割され、複数の表示領域が設けられているかどうかを判定する。判定の方法は、様々である。例えば、現在、ある電子コンテンツを表示する為に稼働しているアプリケーションプログラムが後述する記憶部１００に表示領域の数を記録していて、分割判定部４０は、記憶部１００からその表示領域数を取得し、その値が１より大きければ、複数の表示領域が設けられていると判定する。
領域判定部５０は、分割判定部４０が複数の表示領域が表示されていると判定した場合に、操作情報取得部３０からタッチ操作があった位置の座標情報を取得し、複数の表示領域のうちどの表示領域に対して、ユーザによるタッチ操作が行われたかを判定する。領域判定部が判定した領域をアクティブ領域と呼ぶこととする。
【００１３】
表示制御部８０は、表示部１０に表示する画像を生成し出力する。また、ユーザによるタッチ操作に基づいて、表示する画像を切り替える。例えば、表示制御部８０は、アクティブ領域におけるタッチ操作の検出に基づいて、当該アクティブ領域における表示の切り替えを、アクティブ領域を除く複数の表示領域と独立して行う。また、表示制御部８０は、後述する分割指示部６０の分割指示に基づいて表示部１０に複数の表示領域を設け、当該複数の表示領域のそれぞれに同一コンテンツの同一頁又は異なる頁を表示する。
【００１４】
図２は、本発明の第一の実施形態による表示装置の構成の一例を示すブロック図である。
図２に示す通り、表示装置１は、表示部１０と、入力部２０と、操作情報取得部３０と、分割判定部４０と、領域判定部５０と、分割指示部６０と、動作モード決定部７０と、表示制御部８０と、制御部９０と、記憶部１００とを備えている。
表示部１０は、表示装置１に備えられた液晶ディスプレイ、有機ＥＬディスプレイなどの表示器である。また、表示部１０は、例えばディプレイパネルとタッチパネルが一体に組み合わされてもので、表示機能と入力機能を兼ね備えている。
入力部２０は、表示装置１に備えられたボタンなどの入力装置である。
ユーザは、入力部２０及び表示部１０が備えるタッチパネル機能を用いて表示装置１を操作する。
【００１５】
分割指示部６０は、操作情報取得部３０が取得した、ユーザによる所定の分割指示操作に基づいて、表示部１０へ複数の表示領域を並列に表示するよう指示する分割指示を行う。また、分割指示部６０は、ユーザによる所定の統合指示操作に基づいて、表示部１０に表示された複数の表示領域を統合するように指示を行う統合指示を行う。
動作モード決定部７０は、アクティブ領域における表示の切り替えを他の表示領域と独立して行うか否かを示す動作モードを決定する。
制御部９０は、操作情報取得部３０の取得したユーザの操作情報に基づいてアプリケーションプログラムの起動・停止などを行ったり、表示装置１の起動・停止を行うなどの各種制御全般を行う。
記憶部１００は、ＲＯＭ、ＲＡＭなどの記憶媒体である。記憶部１００は、表示装置１が表示部１０に出力する電子コンテンツや、表示装置１の備えるＣＰＵ（Ｃｅｎｔｒａｌ  Ｐｒｏｃｅｓｓｉｎｇ  Ｕｎｉｔ）によって実行される電子コンテンツを表示する為のアプリケーションなどの各種プログラムを記憶している。
なお、操作情報取得部３０と、分割判定部４０と、領域判定部５０と、分割指示部６０と、動作モード決定部７０と、表示制御部８０と、制御部９０は、表示装置１の備えるＣＰＵがハードディスクなどの記憶部１００からプログラムを読み出し実行することで備わる機能である。
【００１６】
図３は、本発明の第一の実施形態による表示装置の一例を示す図である。
以下、図３を用いて、本実施形態の表示装置１の説明を行う。
第一の実施形態による表示装置１の代表的な例は図３に示すようなタブレット端末装置である。表示装置１は、ＣＰＵやメモリを備えるコンピュータによって構成される。
図３は、表示装置１の正面図である。図３が示す通り表示装置１は、表示部１０を備えている。表示部１０には、例えば静電容量方式の、タッチパネルを備えている。表示装置１は、その他に電源スイッチ（図示せず）などの公知の部材を備えている。
【００１７】
図４は、本発明の第一の実施形態による表示装置の動作の一例を示す第一の図である。  以下、図４を用いて、本実施形態における表示領域を分割する操作の一例について説明を行う。
図４（ａ）は、表示領域分割前の表示装置１を示している。この状態では、ある電子コンテンツの１頁目が、表示部１０の全面に表示されている。この表示状態から、符号４１Ａが示すように、ユーザが、指を表示部１０の左側端部の一点に接触又は接近させ、そのまま指を水平方向に移動させる（符号４１Ｂ）動作を行う。すると、操作情報取得部３０が、その動作の始点と終点の座標情報を取得し、ユーザが指をスライドさせる動作が表示部１０の左側端部から始まり、そのまま指を横断方向にスライドさせたことを検出する。そして、操作情報取得部３０は、検出した情報を分割指示部６０へ出力する。
【００１８】
図４（ｂ）は、ユーザが上述の動作を行った後に、表示部１０に表示された電子コンテンツを示している。分割指示部６０が、操作情報取得部３０が検出情報を取得すると、表示部１０の表示領域を上下２つに分割する指示を表示制御部８０へ出力する。表示制御部８０は、表示部１０を上下に分割した表示領域を生成する。また、表示制御部８０は、生成した上の表示領域（符号１０Ａ）にこれまで表示していた頁（１頁目）を表示し、下の表示領域（符号１０Ｂ）は、同一コンテンツの次の頁（２頁目）を表示する。また、表示制御部８０は、２つの表示領域の間に分割線４３を表示する。
【００１９】
図４（ｃ）は、図４（ｂ）の状態で、ユーザが指を垂直方向にスライドさせる動作を行う様子を示している。表示領域が上下に分割された図４（ｂ）において、符号４２Ａが示すように、ユーザが、指を表示部１０の上側端部の一点に接触又は接近させ、そのまま指を垂直方向に移動させる（符号４２Ｂ）動作を行う。すると、操作情報取得部３０が、その動作の始点と終点の座標情報を取得し、ユーザが指をスライドさせる動作が表示部１０の上側端部から始まり、そのまま指を垂直方向にスライドさせたことを検出する。そして、操作情報取得部３０は、検出した情報を分割指示部６０へ出力する。
【００２０】
図４（ｄ）は、ユーザが図４（ｃ）で説明した動作を行った後に、表示部１０に表示された電子コンテンツを示している。分割指示部６０は、操作情報取得部３０から操作情報を取得すると、表示部１０の各表示領域をさらに左右２つに分割する指示を表示制御部８０へ出力する。表示制御部８０は、表示部１０を上下左右に４分割した表示領域を生成する。また、表示制御部８０は、生成した左上の表示領域（符号１０Ｃ）にこれまで表示していた電子コンテンツの１頁目を表示する。また、表示制御部８０は、生成した右上の表示領域（符号１０Ｄ）に同一電子コンテンツの２頁目を表示する。また、表示制御部８０は、左下の表示領域（符号１０Ｅ）に同一電子コンテンツの３頁目を、右下の領域（符号１０Ｆ）に４頁目を表示する。また、表示制御部８０は、左右の表示領域の間に分割線４４を表示する。
以上、ユーザが、表示領域を分割する動作の一例について説明した。本実施形態では、ユーザが表示部１０の左右上下の端部からフリック操作を行ったことを契機として表示領域の分割を行う。ユーザが同様の操作を繰り返すことで、さらに表示部１０の表示領域が６つ、８つに分割される。本実施形態では、表示領域における線軌跡の入力を検出し、検出した軌跡に基づいてその軌跡を基準として隔てられた各領域を異なる領域に分割表示する。なお、分割された表示領域に表示される内容をそれぞれ独立に切り替える方法については後述する。
なお、例えば、図４（ｄ）において、ユーザが表示領域１０Ｃの任意の位置をタッチ又は指し示したまま、隣接する他の表示領域１０Ｄの任意の位置まで指をスライドさせた場合、表示領域１０Ｃと表示領域１０Ｄの表示内容が入れ替わってもよい。
次に図４を用いて説明した表示領域の分割動作について、より詳細に説明する。
【００２１】
図５は、本発明の第一の実施形態による表示装置の処理フローの一例を示す第一の図である。
図５の処理フローを用いて表示領域の分割処理について説明する。
まず、ユーザにより、ある電子コンテンツが選択され、その電子コンテンツを表示する操作が行われたものとする。すると操作情報取得部３０は、その電子コンテンツを表示すべき指示情報を表示部１０から取得し、制御部９０に出力する。制御部９０は、ユーザが指定した電子コンテンツを出力するアプリケーションプログラムを記憶部１００から読み出し、当該アプリケーションを起動する。また、表示制御部８０は、当該アプリケーションから表示部１０に出力する１頁目の情報を取得し、表示画像を生成して表示部１０に表示する（ステップＳ１１）。このとき表示部１０には、図４（ａ）で例示したように電子コンテンツの１頁目が、全画面表示した状態で表示される。
【００２２】
次に、表示部１０は、ユーザによる表示部１０への操作を検出する（ステップＳ１２）。表示部１０は、検出した操作情報を操作情報取得部３０へ出力する。操作情報取得部３０が取得する操作情報には、ユーザが指を接触又は接近させた位置の表示部１０における座標情報が含まれる。操作情報取得部３０は、操作情報を制御部９０へ出力する。制御部９０は、取得した操作情報から、ユーザの操作が表示部１０の端部から、対向する辺へ向かってほぼ垂直に線を引くような動作であるかどうかを判定する（ステップＳ１３）。制御部９０は、操作情報からスライド操作の始点が表示部１０の端部であること、及び、指をスライドさせた方向が、始点となった端部を含む表示部１０の１辺と対向する辺へほぼ垂直となる方向であると判定すると（ステップＳ１３＝Ｙｅｓ）、この操作情報を分割指示部６０へ出力する。また、そうでない場合（ステップＳ１３＝Ｎｏ）、本処理フローは終了する。なお、端部とは、表示部１０の外周を基準とする予め定められた範囲の領域である。
【００２３】
次に、分割指示部６０は、取得した操作情報から指をスライドさせた方向が、ユーザにとっての垂直方向か水平方向かを判定する（ステップＳ１４）。
スライド方向が水平方向の場合、分割指示部６０は、ユーザが指を接した位置を含む表示領域をさらに上下に分割するよう表示制御部８０へ分割指示を行う（ステップＳ１５）。また、スライド方向が垂直方向の場合、分割指示部６０は、ユーザが指を接した位置を含む表示領域をさらに左右に分割するよう表示制御部８０へ分割指示を行う（ステップＳ１６）。
【００２４】
表示制御部８０は、分割指示部６０から分割指示を取得すると、分割判定部４０から、現在の表示領域の分割状態を示す情報を取得する。分割状態を示す情報とは、例えば、「現在の表示領域は分割されていない」、あるいは、「表示領域は上下に２分割されている」といった情報である。表示制御部８０は、分割判定部４０から取得した分割状態を示す情報と、分割指示部６０から取得した分割指示に基づいて表示領域の分割方法を決定する（ステップＳ１７）。例えば、現在の分割状態と分割指示とに対応付けて分割方法を記憶したテーブルが記憶部１００に格納されていて、表示制御部８０は、このテーブルを参照して分割方法を決定する。このテーブルには例えば、現在の分割状態が「表示領域は未分割」、分割指示が「上下に分割」、に対して分割方法は「上下２つの表示領域に分割」と規定されている。また、現在の分割状態が「表示領域は上下に２分割」、分割指示が「左右に分割」、に対して分割方法は「左上、右上、左下、右下４つの表示領域に分割」と規定されている。
【００２５】
分割方法を決定すると、表示制御部８０は、分割方法に従って表示領域を生成する。また、分割後の表示状態を示す情報を記憶部１００に記録する。そして、表示制御部８０は、各表示領域に表示する画像を生成し、適切な表示領域に表示する（ステップＳ１８）。例えば、分割後の表示領域が、図４（ｂ）で例示したように上下に２分割された状態であるとすると、表示制御部８０は、１頁目の情報を２分割した表示領域のうち、上の表示領域に表示する画像を生成する。また、表示制御部８０は、２頁目の情報を記憶部１００から読み込んで、下の表示領域に表示する画像を生成する。またそれら２つの表示領域を隔てる分割線の画像を生成する。そして表示制御部８０は、それらを合成して表示部１０へ出力する。
【００２６】
図６は、本発明の第一の実施形態による表示装置の動作の一例を示す第二の図である。
以下、図６を用いて、分割したそれぞれの表示領域に表示される内容を独立して切り替える操作の一例について説明を行う。
図６（ａ）は、ユーザが表示領域を分割させる操作を行った後の状態を示している。分割された上側の表示領域１０Ａには、現在、電子コンテンツの１頁目が表示され、下側の表示領域１０Ｂには、電子コンテンツの２頁目が表示されている。この状態からユーザが、表示部１０の任意の位置に対してフリック操作を行うと、表示部１０がその操作を受け付け、操作情報取得部３０へ操作情報を出力する。すると、表示制御部８０は、その操作情報からユーザの操作が頁めくり操作であることを認識する。そして、表示制御部８０は、記憶部１００から３頁目及び４頁目の情報を読み込んで、３〜４頁目をそれぞれ上下の表示領域に組み込んだ表示画像を生成し、を表示部１０に表示する。
【００２７】
図６（ｂ）は、このようにして表示制御部８０が表示した表示画像の一例である。これまでの動作においては、表示制御部８０は、分割された各表示領域に表示する情報を独立して切り替えていない。次にそれぞれの表示領域に表示する頁を独立して切り替える方法について説明する。ユーザは、分割線４３をロングタップする。ロングタップとは、所定時間以上、表示部１０の任意の位置に対して継続して指などで指し示す選択操作である。すると、操作情報取得部３０が、表示部１０からその操作情報を取得する。操作情報には、ユーザがタップした表示部１０における座標情報や、タップし続けた時間の情報が含まれる。動作モード決定部７０は、この操作情報から、分割線４３に所定時間以上のタップ操作が継続して行われたと判定すると、各表示領域の切り替え動作を、各表示領域ごとに独立して切り替えることができる「独立モード」に切り替える。なお、図６（ａ）から図６（ｂ）への遷移の場合のように、分割した表示領域のそれぞれに表示された頁が、全表示領域が連動して切り替わる動作を「紙モード」と呼ぶこととする。
【００２８】
図６（ｃ）は、分割線４３へのロングタップにより、動作モードが独立モードに切り替わった状態を示している。動作モードが、独立モードに切り替わると分割線４３の表示は、分離線４５に切り替わる。分離線４５は、例えば２重線で表示される。次にユーザが、符号１０Ｂが示す下側の表示領域に対してフリック操作を行うと、操作情報取得部３０は、その操作情報を取得する。分割判定部４０は、現在の分割状態を記憶部１００から取得する。また、領域判定部５０は、その操作情報に含まれる座標情報からユーザがフリック操作を行った表示領域を判定する。そして表示制御部８０は、領域判定部５０が判定した表示領域に現在表示されている頁の次頁又は前頁を記憶部１００から読み出して、読み出した情報で表示領域１０Ｂの表示画像を切り替える。なお、次頁か前頁かは、制御部９０が、ユーザがフリックした方向により決定する。
【００２９】
図６（ｄ）は、ユーザが表示領域１０Ｂに対して行ったフリック操作が次頁へ移動する動作であった場合の、頁切り替え後の表示状態である。この図が示すように表示領域１０Ａに表示された頁は３頁目のままである。一方、ユーザがフック操作を行った表示領域１０Ｂに表示された頁は４頁目から５頁目に切り替わっている。このように動作モードを、独立モードに切り替えると、分割した表示領域それぞれに表示された内容を、他の表示領域と独立して切り替えることができる。本実施形態によれば、例えば、２分割した表示領域のうち、一方に１頁目を表示させ、他方に５頁目を表示させることが可能である。
【００３０】
次に、動作モードを独立モードから紙モードに切り替える方法について説明する。ユーザが、分離線４５を所定の時間以上、継続してロングタップすると、動作モード決定部７０は、独立モードから紙モードに変更する。また、表示制御部８０は、分離線４５に代えて分割線４３を表示する。このときに各表示領域に表示する頁の表示方法の一例を説明する。例えば図６（ｄ）の表示状態から、動作モードを紙モードに切り替えると、図６（ｄ）の表示領域１０Ａには、電子コンテンツの５頁目が表示される。また、表示領域１０Ｂには、６頁目が表示される。これは、最後に操作した表示領域１０Ｂに表示された頁（５頁目）を基準にして、その頁（５頁目）を紙モードで表示するようにした場合の、各表示領域への頁の割り付けを再現したときの表示態様である。
このように本実施形態によれば、分割した各表示領域に表示した頁を一体的に切り替える紙モードと、それぞれの表示領域に表示する頁を他の表示領域と独立して切り替えることができる独立モードを、そのときの必要性に応じて簡単に切り替えて使い分けることができる。
【００３１】
図７は、本発明の第一の実施形態による表示装置の処理フローの一例を示す第二の図である。
図７の処理フローを用いて動作モードの切替処理について説明する。
前提として既に表示領域が分割され、それぞれの表示領域には、電子コンテンツの各頁が表示されているものとする。
まず、表示部１０は、ユーザによる表示部１０へ操作を検出する（ステップＳ２１）。操作情報取得部３０は、表示部１０が検出した操作情報を取得する。操作情報には、ユーザが指を接触させた点の表示部１０における座標情報や接触時間が含まれる。操作情報取得部３０は、操作情報を制御部９０へ出力する。制御部９０は、操作情報を動作モード決定部７０へ出力する。動作モード決定部７０は、操作情報から、ユーザのタップ位置が分割線、又は分離線であるかどうかを判定する（ステップＳ２２）。タップ位置が分割線や分離線とは異なる位置である場合（ステップＳ２２＝Ｎｏ）、動作モード決定部７０は、ユーザの操作は動作モード切替処理と関係ないと判断し、本処理フロ―は終了する。
【００３２】
ユーザがタップした位置がそれらの線を構成する点を含んでいる場合（ステップＳ２２＝Ｙｅｓ）、動作モード決定部７０は、タップしている時間が所定の時間（第一所定時間）以上かどうかを判定する（ステップＳ２３）。第一所定時間未満の場合（ステップＳ２３＝Ｎｏ）、動作モード決定部７０は、ユーザの操作は動作モード切替処理と関係ないと判断し、本処理フロ―は終了する。第一所定時間以上の場合（ステップＳ２３＝Ｙｅｓ）、動作モード決定部７０は、動作モードをそれまでの動作モードと異なる動作モードに切り替える（ステップＳ２４）。動作モード決定部７０は、決定後の動作モードを示す情報を表示制御部８０に出力する。表示制御部８０は、決定後の動作モードが紙モードの場合、各表示領域を隔てる分割線を表示する。また、決定後の動作モードが独立モードの場合、表示制御部８０は、分離モードを表示する。
【００３３】
図８は、本発明の第一の実施形態による表示装置の処理フローの一例を示す第三の図である。
図８の処理フローを用いて動作モードが独立モードの場合の頁の切替処理について説明する。
前提として、ある電子コンテンツが表示されているものとする。また、動作モードは独立モードであるとする。
まず、表示部１０が、ユーザによる表示部１０へ操作を検出する（ステップＳ３１）。操作情報取得部３０は、表示部１０が検出した操作情報を取得する。操作情報取得部３０は、取得した操作情報を、制御部９０へ出力する。制御部９０は、ユーザの操作情報が頁めくり動作かどうかを判定する（ステップＳ３２）。例えば、頁が表示された位置に対するフリック操作であれば、ユーザの操作は頁めくり操作であると判定する。ユーザの操作が頁めくりでない場合（ステップＳ３２＝Ｎｏ）、制御部９０は、ユーザ操作に基づく各種制御を行い、本処理フローは終了する。ユーザの動作が頁めくり操作である場合（ステップＳ３３＝Ｙｅｓ）、制御部９０は、操作情報を、分割判定部４０、領域判定部５０、表示制御部８０へ出力する。
【００３４】
次に、分割判定部４０は、記憶部１００から現在の分割状態を示す情報を取得し、表示領域は分割されているかどうかを判定する（ステップＳ３３）。分割状態を示す情報には、表示領域の数や各表示領域の範囲を規定する座標情報が含まれている。表示領域が分割されていない場合は（ステップＳ３３＝Ｎｏ）、ステップＳ３５へ進む。表示領域が分割されている場合（ステップＳ３３＝Ｙｅｓ）、分割判定部４０は、分割状態を示す情報を領域判定部５０へ出力する。次に、領域判定部５０が、取得した分割状態の情報と操作情報から、ユーザが頁めくり操作を行った位置がどの表示領域に含まれるかを特定する（ステップＳ３４）。そして、領域判定部５０は、特定した表示領域を示す情報を表示制御部８０へ出力する。表示制御部８０は、頁切り替え処理を実行する（ステップＳ３５）。より詳細には、表示制御部８０は、取得した表示領域を示す情報を用いて、その表示領域に現在表示している頁を認識する。また、表示制御部８０は、取得した操作情報から頁を先送りする動作か、頁を戻す操作かを判定し、例えば、頁を先送りする操作であれば、現在表示している頁の次の頁の内容を記憶部１００から読み出す。そして、新たに頁を切り替えた表示領域に表示する情報を更新した表示画像を生成し、表示部１０に出力する。このようにして、表示装置１は、分割された各表示領域に表示する情報を独立して切り替えることができる。
【００３５】
図９は、本発明の第一の実施形態による表示装置の動作の一例を示す第三の図である。
以下、図９を用いて、分割したそれぞれの表示領域を統合する操作の一例について説明を行う。
図９（ａ）は、ユーザの分割操作により、表示領域が符号１０Ｃ、１０Ｄ、１０Ｅ、１０Ｆが示す領域に４分割された状態である。現在分割された左上の表示領域には、電子コンテンツの１頁目が表示され、右上の表示領域には２頁目、左下の領域には３頁目、右下の領域には４頁目が表示されている。この状態から、ユーザが符号９１で示される点をロングタップすると、操作情報取得部３０がその操作情報を取得し、分割指示部６０が４分割された表示領域を１つの表示領域に統合する指示を表示制御部８０に行う。また、ユーザが符号９２で示される点をロングタップすると、操作情報取得部３０がその操作情報を取得し、分割指示部６０が垂直方向にひかれた分割線又は分離線を削除し、４分割された表示領域を２つの表示領域に統合する指示を表示制御部８０に行う。
【００３６】
図９（ｂ）は、ユーザが符号９２で示される点をロングタップした後の状態を示している。図９（ｂ）が示すように、垂直方向の分割線が削除され、表示領域は上限に分割された１０Ａ、１０Ｂの２つの領域に統合されている。このようにユーザが分割線又は分離線をロングタップすると、その分割線又は分離線が削除される。統合後に表示される頁は、ユーザが直前まで操作していた表示領域に表示された頁を基準とする。例えばユーザが直線に図９（ａ）の表示領域１０Ｃを操作していた場合であって、ユーザが符号９２が示す分離線をロングタップしたとすると、１頁目を基準として、統合後の表示領域数分の頁（つまり１頁目と２頁目）を選定し、表示する。
【００３７】
図９（ｃ）は、ユーザが符号９１で示される点をロングタップした後の状態を示している。図９（ｃ）が示すように、分割線又は分離線同士の交点をユーザがロングタップすると、その交点を形成した分割線又は分離線が削除され、表示領域が統合される。図９（ａ）の状態から、交点９１をロングタップすると分割線４３、４４が削除され、表示領域は１つに統合される。統合後に表示される頁は、やはり、ユーザが直前まで操作していた表示領域に表示された頁を基準とする。つまり、図９（ａ）の状態でユーザが最後に操作した領域が表示領域１０Ｃである場合、表示領域の統合後に図９（ｃ）の状態となる。
なお、分割線や分離線、又はそれらの交点をロングタップ（選択操作）する時間は、図６で説明した動作モードを切り替える場合に要する所定の時間よりも長い時間（第二所定時間）であるものとする。例えば、ある分割線を、第一所定時間以上、第二所定時間未満の間、継続してタップした場合、動作モードが紙モードと独立モードとの間で切り替わる。また、ある分割線を、第二所定時間以上の間、継続してタップした場合、表示領域が統合される。
【００３８】
図１０は、本発明の第一の実施形態による表示装置の処理フローの一例を示す第四の図である。
図１０の処理フローを用いて表示領域の統合処理について説明する。
前提として、ある電子コンテンツが複数の表示領域に分割されて表示されているものとする。
まず、表示部１０は、ユーザによる表示部１０へ操作を検出する（ステップＳ４１）。操作情報取得部３０は、表示部１０が検出した操作情報を取得する。操作情報取得部３０は、取得した操作情報を、制御部９０へ出力する。制御部９０は、ユーザの操作情報が統合操作であるかどうかを判定する（ステップＳ４２）。例えば、その操作が、分割線あるいは分離線、又はそれらの交点に対するタップ操作である場合、統合操作であると判定する。統合操作でない場合（ステップＳ４２＝Ｎｏ）、本処理フローは終了する。ユーザの動作が統合操作である場合（ステップＳ４２＝Ｙｅｓ）、制御部９０は、操作情報を、分割指示部６０へ出力する。なお操作情報には、ユーザが接触した点の座標情報や接触時間の情報が含まれている。
【００３９】
次に、分割指示部６０は、タップされた位置が、分割線若しくは分離線か、又はそれらの交点なのかを判定する（ステップＳ４３）。タップした位置が分割線若しくは分離線の場合、分割指示部６０は、取得した操作情報から接触時間を判定する（ステップＳ４４）。タップした時間が第二所定時間以上の場合（ステップＳ４４＝Ｙｅｓ）、分割指示部６０は、削除すべき分割線又は分離線を指定して表示制御部８０へ出力する。タップした時間が第二所定時間未満の場合（ステップＳ４４＝Ｎｏ）、本処理フローは終了する。
一方、ステップＳ４３において、タップした位置が分割線等の交点である場合、分割指示部６０は、取得した操作情報から接触時間を判定する（ステップＳ４５）。タップした時間が第二所定時間以上の場合（ステップＳ４５＝Ｙｅｓ）、分割指示部６０は、交点を形成する削除すべき分割線又は分離線を指定して表示制御部８０へ出力する。タップした時間が第二所定時間未満の場合（ステップＳ４５＝Ｎｏ）、本処理フローは終了する。
【００４０】
次に表示制御部８０は、現在の分割状態を示す情報を分割判定部４０から取得し、分割指示部６０から取得した削除すべき分割線等の情報と併せて、分割線等削除後の表示領域の配置を決定する。そして、表示制御部８０は、その決定に基づいて表示領域を統合し、分割線等の削除後の表示領域を生成する（ステップＳ４６）。
次に表示制御部８０は、表示領域統合後の各表示領域に表示する頁を記憶部１００から読み出して、各表示領域に表示する情報を反映した画像を生成し、表示部１０に表示する（ステップＳ４７）。以上で本処理フローを終了する。
【００４１】
本実施形態によれば、一つの電子コンテンツの異なる頁を複数の表示領域のそれぞれに表示させることができる。また、連続する頁を並列に表示させるだけでなく、互いに離れた頁同士を並列して表示させることができるので、電子コンテンツを読んでいるときに、電子コンテンツに含まれる情報を俯瞰したり、比較したりといった作業を行うことができる。
【００４２】
なお、本実施形態において、ユーザが指を表示部１０に接触させて、タッチ、タップ、フリック、スライドなどの各操作を行う態様を例に説明を行ったが、これに限定されない。例えば、指の代わりにペンや掌を用いてもよい。また、表示部１０に、指、ペン、掌などの操作指示を行う主体を接触させる必要はなく、これら指示主体を表示部１０に対して所定の距離以内に近づけて動作を行ってもよい。例えばユーザが、２本の指を表示部１０に近づけて、複数の点を同時に指し示しながらスライドする操作を行うと、動作モード決定部７０は動作モードを切り替える。他の動作についても同様である。また、このことは以下の各実施形態においても同様である。
【００４３】
＜第二の実施形態＞
以下、本発明の第二の実施形態による表示装置１を図１１を参照して説明する。
第二の実施形態による表示装置１の構成は、第一の実施形態と同様である。
但し、図１１で説明するように、本実施形態による紙モードから独立モードへの切替は、分割線又は分離線に対する第一所定時間以上のタップ操作ではなく、２本の指によるフリック操作であることを特徴としている。
【００４４】
図１１は、本発明の第二の実施形態による表示装置の動作の一例を示す図である。
図１１を用いて本実施形態による動作モードの切替について説明する。
図１１（ａ）は、表示領域が上下の２つに分割され、動作モードが紙モードであるときの表示装置１の状態を示している。この状態からユーザが、表示領域１０Ａを対象として、２本指を用いてフリック操作を行うと、操作情報取得部３０が、その操作情報を取得し、制御部９０へ出力する。制御部９０は、操作情報を、分割判定部４０、領域判定部５０、動作モード決定部７０、表示制御部８０へ出力する。分割判定部４０は、現在の表示領域の分割状況を記憶部１００から取得し、各表示領域の配置を規定する座標情報を領域判定部５０に出力する。領域判定部５０は、操作情報に含まれるユーザの操作が行われた位置の座標情報と、各表示領域の配置を規定する座標情報とを比較して、どの表示領域でユーザの操作が行われたかを判定し、その表示領域を特定する情報を表示制御部８０へ出力する。また、動作モード決定部７０は、ユーザの操作が２本指でなされたことから、動作モードを紙モードから独立モードに切り替える。また、動作モード決定部７０は、決定後の動作モードを示す情報を表示制御部８０に出力する。表示制御部８０は、取得した動作モードを示す情報と操作情報に基づいて、表示領域１０Ａに表示される頁だけを次頁に切り替える。また、表示制御部８０は、分割線に代えて分離線を表示する。
【００４５】
図１１（ｂ）は、このようにして動作モード及び表示内容が切り替わった後の表示装置１の状態を示している。この状態からユーザがさらに表示領域１０Ａに対して２本指でのフリック操作を行うと、表示制御部８０は、表示領域１０Ａに表示される頁だけをフリックする方向に応じて切り替える。
図１１（ｃ）は、図１１（ｂ）の状態から、ユーザが２本指を用いて、表示領域１０Ａに対して行った操作が、頁を先送りする操作であった場合の操作後の状態を示している。表示領域１０Ａに表示される頁は、図１１（ｂ）から１頁進んで３頁目となっている。
【００４６】
本実施形態によれば、頁の切り替えを行いたい表示領域に２本指でフリック操作をするだけで、動作モードの切り替えと頁送りとを同時に行うことができる。第一の実施形態よりも少ない操作で、分割した表示領域のそれぞれに、他の表示領域に表示された頁と独立した頁を表示させることができる。
なお、一度紙モードから独立モードに切り替えた後は、１本の指でフリック操作を行っても独立モードの動作を行うようにしてもよい。また、動作モード切り替えの契機となる２本指による操作について、操作する指は２本に限らない。例えば３本でもよい。
また、本実施形態によって独立モードに切り替えた後で、再び紙モードへ戻るには、第一の実施形態と同様、ユーザが分離線を第一所定時間以上ロングタップすればよい。
【００４７】
＜第三の実施形態＞
以下、本発明の第三の実施形態による表示装置１を図１２〜図１３を参照して説明する。
第三の実施形態による表示装置１の構成は、第一の実施形態と同様である。本実施形態においては、表示領域を分割する操作が第一の実施形態と異なる。
図１２は、本発明の第三の実施形態による表示装置の動作の一例を示す図である。
図１３は、本発明の第三の実施形態によるユーザの動作と表示領域数の関係を規定するテーブルの一例を示す図である。
図１２、図１３を用いて本実施形態による表示領域の分割について説明する。
図１２（ａ）は、表示領域が１つの状態を示している。本実施形態では、この状態からユーザが３本以上の指で表示部１０に接触し（符号１２Ｂ）、そのまま、指先同士の間隔を広げる（符号１２Ａ）と、表示制御部８０が、指をスライドさせた距離に応じて表示領域を分割して表示する。また、表示領域が分割された状態から、ユーザが３本以上の指で表示部１０に接触し（符号１２Ａ）、そのまま、指先同士の間隔を狭める（符号１２Ｂ）と、表示制御部８０が、指をスライドさせた距離に応じて、分割された表示領域を統合して表示する。以下、３本以上の指で表示部１０に接触することをマルチタッチと呼ぶ。
【００４８】
図１２（ｂ）は、ユーザのマルチタッチ操作に基づいて、表示制御部８０が、符号１０Ａ、１０Ｂが示す２つの表示領域を表示した状態を示している。
図１２（ｃ）は、ユーザのマルチタッチ操作に基づいて、表示制御部８０が、符号１０Ｃ〜１０Ｆが示す４つの表示領域を表示した状態を示している。
図１２（ｄ）は、ユーザのマルチタッチ操作に基づいて、表示制御部８０が、符号１０Ｇ〜１０Ｎが示す８つの表示領域を表示した状態を示している。
本実施形態では、ユーザが、マルチタッチしたまま指先間隔を広げるような、あるいは狭めるような動作を行うと、表示制御部８０は、表示部１０の表示態様を、図１２（ａ）〜図１２（ｄ）の状態に切り替える。
【００４９】
指をスライドさせた距離に応じて表示領域を分割又は統合するには、例えば、図１３のようなテーブルが予め記憶部１００に格納されていて、この関係を用いて表示領域数を決定する。図１３に例示するテーブルには、指をスライドさせた距離と、スライドさせた方向（広げるか狭めるか）と、そのスライド距離に応じてさらに表示領域を分割又は統合した場合の表示領域の数とが対応付けられている。「スライド距離１」欄は、ユーザのスライド操作におけるスライド距離の下限値である。「スライド距離１」欄は、スライド距離の上限値である。「方向」欄は、指先の間隔を広げるか狭めるかである。「表示領域数」は、スライド距離に応じた分割・統合後の表示領域数を示している。
【００５０】
図１２（ａ）の状態からユーザが表示部１０にマルチタッチして指同士の間隔を広げるような動作を行った場合、それぞれの指のスライド量が、５ｍｍ以上１０ｍｍ未満であれば、分割指示部６０は、このテーブルから表示領域数を２倍にすることを決定する。また、それぞれの指のスライド量が、１５ｍｍ以上２０ｍｍ未満であれば、分割指示部６０は、同様にして表示領域数を８倍にすることを決定する。なお、スライド距離の判定に用いる指の選択は任意でよい。例えば、ユーザが、マルチタッチした全ての指のスライド距離を対象としてもよいし、最も移動距離の長い指だけに注目して判定を行ってもよい。
あるいは、図１２（ｂ）の状態から、ユーザがマルチタッチして、５ｍｍ以上１０ｍｍ未満指同士の間隔が広がるようにスライドさせた場合、分割指示部６０は、表示領域数を２倍にすることを決定する。そして、表示制御部８０は、表示領域数を４つ生成する。
【００５１】
ユーザが指同士の間隔を狭めるようにスライドさせたときも同様である。例えば、図１２（ｄ）の状態から、ユーザが表示部１０にマルチタッチして、指同士の間隔を狭めるような動作を行った場合、それぞれの指のスライド量が、５ｍｍ以上１０ｍｍ未満であれば、分割指示部６０は、このテーブルから表示領域数を１／２倍することを決定する。そして、表示制御部８０は、表示領域数を４つ生成する。また、それぞれの指のスライド量が、１５ｍｍ以上２０ｍｍ未満であれば、分割指示部６０は、表示領域数を１／８倍することを決定する。
【００５２】
図１４は、本発明の第三の実施形態による表示装置の処理フローの一例を示す図である。
図１４の処理フローを用いて表示領域の統合処理について説明する。
まず、表示部１０が、ユーザのマルチタッチを検出する（ステップＳ５１）。表示部１０は、検出した操作情報を操作情報取得部３０へ出力する。次に、表示部１０が、ユーザがマルチタッチに引き続き、指の間隔を広げる又は狭める操作を行うことを検出する（ステップＳ５２）。表示部１０は、検出した操作情報を操作情報取得部３０へ出力する。操作情報取得部３０は、取得した操作情報を、制御部９０へ出力する。制御部９０は、ユーザの操作がマルチタッチによる指先を広げる又は狭める動作であることから、表示領域の分割・統合処理であると判断し、分割指示部６０へ操作情報を出力する。操作情報にはユーザが指を表示部１０に接して移動させたときの始点及び終点の座標情報が含まれている。分割指示部６０は、取得した操作情報から指先間隔を広げる動作か狭める動作かを判定する（ステップＳ５３）。分割指示部６０は、判定結果をメモリに記録する。また、分割指示部６０は、取得した操作情報からユーザが指をスライドさせた距離を判定し（ステップＳ５４）、その距離をメモリに記録する。次に、分割指示部６０は、例えば図１３で例示したテーブルから分割又は統合後の表示領域数を決定し（ステップＳ５５）、表示制御部８０へ決定した表示領域数を含む分割指示情報を出力する。次に表示制御部８０は、分割指示部６０から分割指示を取得すると、分割判定部４０から、現在の表示領域の分割状態を示す情報を取得する。そして、表示制御部８０は、分割判定部４０から取得した分割情報と、分割指示部６０からの分割指示に基づいて表示領域の分割又は統合方法を決定し、表示部１０に表示する表示領域の数を適切な値に変更する（ステップＳ５８）。
【００５３】
本実施形態によれば、マルチタッチ操作により、より容易に表示領域の分割・統合が可能である。それにより、より直観的な操作で表示領域を分割し、各表示領域に同一コンテンツの所望の頁を表示させることができる。
なお、本実施形態によって表示領域の分割・統合を行った後の動作モードの切替は、第一の実施形態と同様に、任意の分割線を第一所定時間以上ロングタップすると、各表示領域が独立モードとなる。あるいは、第二の実施形態と同様に、任意の表示領域において２本指を用いてフリック操作を行うと紙モードから独立モードに切り替わる。
【００５４】
また、マルチタッチして操作を行う態様を例に説明したが、上述のとおり本実施形態は３本以上の指を表示部１０に接触させて行う操作に限定されない。例えば、ユーザが、指やペンなどを表示部１０に対して所定の距離内に近づけて、３つ以上の点を同時に指し示し、それらの点の間隔を広げるようなジェスチャを行うと、表示制御部８０が表示領域の分割を行う。
【００５５】
＜他の実施形態＞
表示領域の分割操作の他の実施形態を図１５を用いて説明する。
図１５は、本発明の他の実施形態による表示装置の動作の一例を示す図である。
図１５（ａ）は、ユーザが２本の指を表示部１０の任意の位置に接触させ、水平方向にフリック操作を行う様子を示している。すると、本実施形態では、図１５（ｂ）が示すように、表示制御部８０が、表示部１０を上下に分割した２つの表示領域（符号１０Ａ，１０Ｂ）を生成する。
また、図１５（ｃ）は、ユーザが２本の指を表示部１０の任意の位置に接触させ、垂直方向にフリック操作を行う様子を示している。すると、図１５（ｄ）が示すように、表示制御部８０が、表示部１０を左右に分割した２つの表示領域（符号１０Ｏ，１０Ｐ）を生成する。
本実施形態によれは、表示領域の分割にあたって、第一の実施形態のように表示部１０の端部からフリック操作を行う必要が無い。また、第三実施形態のように３本以上の指を用いてマルチタッチする必要が無い。従って、本実施形態を用いることで、より多様な操作によって表示領域の分割を行うことができるようになる。なお、第二の実施形態と組み合わせて、表示領域が１つの状態で本実施形態の操作を行うと、表示領域が分割され、表示領域の分割後に、それぞれの表示領域内で２本指でフリック操作を行うと、動作モードが独立モードに切り替わるといった動作も考えられる。
【００５６】
なお、上述の表示装置１は内部にコンピュータを有している。そして、上述した表示装置１の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５７】
また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００５８】
その他、本発明の趣旨を逸脱しない範囲で、上記した実施の形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【符号の説明】
【００５９】
１・・・表示装置
１０・・・表示部
２０・・・入力部
３０・・・操作情報取得部
４０・・・分割判定部
５０・・・領域判定部
６０・・・分割指示部
７０・・・動作モード切替部
８０・・・表示制御部
９０・・・制御部
１００・・・記憶部
【図１】
2015176108.tif 000003
【図２】
2015176108.tif 000004
【図３】
2015176108.tif 000005
【図４】
2015176108.tif 000006
【図５】
2015176108.tif 000007
【図６】
2015176108.tif 000008
【図７】
2015176108.tif 000009
【図８】
2015176108.tif 000010
【図９】
2015176108.tif 000011
【図１０】
2015176108.tif 000012
【図１１】
2015176108.tif 000013
【図１２】
2015176108.tif 000014
【図１３】
2015176108.tif 000015
【図１４】
2015176108.tif 000016
【図１５】
2015176108.tif 000017